(57)【要約】【課題】熱電対を用いて太陽電池セルの温度を測定する太陽電池セル温度測定方法、太陽電池セル温度測定装置及び太陽電池モジュールにおいて、基板との温度差による誤差を可及的に排除し、たとえ光受光中であっても、太陽電池セルの温度を精度良く測定できるようにする。【解決手段】基板２と、基板２上に保持される太陽電池セル１との間に、熱電対１００の測温接点Ａを配置し、熱電対１００に生じる熱起電力にもとづいて、太陽電池セル１の温度を測定する。【選択図】図１
2011002319.tif 000002
【特許請求の範囲】
【請求項１】
基板と、前記基板上に保持される太陽電池セルとの間に、熱電対の測温接点を配置し、
前記熱電対に生じる熱起電力にもとづいて、前記太陽電池セルの温度を測定することを特徴とする太陽電池セル温度測定方法。
【請求項２】
前記熱電対の測温接点を、前記太陽電池セルの下面に接触させる請求項１記載の太陽電池セル温度測定方法。
【請求項３】
前記熱電対の測温接点を、前記基板と前記太陽電池セルとの間の接着剤層に実装する請求項１又は２記載の太陽電池セル温度測定方法。
【請求項４】
前記熱電対の測温接点を、前記太陽電池セルの下面における長さ方向及び／又は幅方向の中央位置に配置する請求項１〜３のいずれか一項に記載の太陽電池セル温度測定方法。
【請求項５】
前記熱電対として、極細熱電対線を備えた熱電対を使用する請求項１〜４のいずれか一項に記載の太陽電池セル温度測定方法。
【請求項６】
前記熱電対として、直径２５μｍ〜１００μｍの極細熱電対線を備えた熱電対を使用する請求項５記載の太陽電池セル温度測定方法。
【請求項７】
太陽電池セルの温度を測定する熱電対を備え、
前記熱電対の測温接点が、基板と、前記基板上に保持される前記太陽電池セルとの間に配置されることを特徴とする太陽電池セル温度測定装置。
【請求項８】
前記熱電対の測温接点が、前記太陽電池セルの下面に接触される請求項７記載の太陽電池セル温度測定装置。
【請求項９】
基板と、
前記基板上に保持される太陽電池セルと、
前記太陽電池セルの温度を測定する熱電対とを備え、
前記熱電対の測温接点が、前記基板と前記太陽電池セルとの間に配置されることを特徴とする太陽電池モジュール。
【請求項１０】
前記熱電対の測温接点が、前記太陽電池セルの下面に接触される請求項９記載の太陽電池モジュール。
【発明の詳細な説明】
【技術分野】
【０００１】
本発明は、太陽電池セルの温度を測定する太陽電池セル温度測定方法、太陽電池セル温度測定装置及び太陽電池モジュールに関する。
【背景技術】
【０００２】
一般に、太陽電池セルの電気出力特性には温度依存性がある。
このため、太陽電池セルの電気出力特性を評価する場合や、太陽電池セルの電気出力特性にもとづいて日射強度などを測定する場合においては、太陽電池セルの温度を正確に測定する必要がある。
【０００３】
太陽電池セルの温度を測定する方法の一つとしては、例えば、非接触型のサーモグラフィを使用する方法が知られている。
しかしながら、この非接触型のサーモグラフィによる温度測定では、被測定物である太陽電池セルの光学特性を事前にある程度確認しておく必要があった。
また、真空試験槽でサーモグラフィを使用して温度を測定する場合には、試験槽側で特殊な観測窓等の準備が必要であった。
このため、非接触型のサーモグラフィによる太陽電池セルの温度測定は、簡易かつスピーディな測定を行うことが困難であった。
【０００４】
一方、太陽電池セルの温度を熱電対で簡易に測定することも提案されている（例えば、特許文献１参照）。
熱電対１００とは、図２に示すように、２種類の金属線１０１、１０２の一端同士を電気的に接続したものであり、この接続点を測温接点Ａとする一方、他端側を基準温度点Ｂとして電圧計１０３に接続する。ここで、測温接点Ａと基準温度点Ｂとの間に温度差が生じると、温度差に応じた熱起電力が熱電対１００に発生するので、基準温度点Ｂの電位差を電圧計１０３で測定することにより、測温接点Ａの温度を知ることができる。
【０００５】
図３は、このような熱電対を用いた太陽電池セル温度測定方法の参考例を示す説明図である。
この図に示すように、太陽電池セル１０４は、基板（サブストレート）１０５上に接着剤層１０６を介して実装されている。
太陽電池セル１０４の温度を熱電対で測定する場合、熱電対の測温接点Ａを基板１０５内に配置して温度測定を行っている。
【先行技術文献】
【特許文献】
【０００６】
【特許文献１】特開２００４−０７７３１１号公報
【発明の概要】
【発明が解決しようとする課題】
【０００７】
しかしながら、図３に示した熱電対を用いた温度測定方法では、太陽電池セル１０４を実装（接着）している基板１０５の温度を測定して太陽電池セル１０４の温度に代替しているので、太陽電池セル１０４と基板１０５との間に温度差がある状況では、測定精度が低下するという問題があった。
特に、光受光中の場合は、太陽電池セル１０４と基板１０５の材質、熱容量及び色（太陽光吸収率、熱ふく射率）の違いで温度差が発生し易いので、正確な温度測定が困難であった。
【０００８】
本発明の目的は、上述した課題である、熱電対を用いて太陽電池セルの温度を測定するにあたり、基板との温度差による誤差を排除して太陽電池セルの温度を正確に測定するという課題を解決する太陽電池セル温度測定方法、太陽電池セル温度測定装置及び太陽電池モジュールを提供することにある。
【課題を解決するための手段】
【０００９】
上記目的を達成するため本発明の太陽電池セル温度測定方法は、基板と、前記基板上に保持される太陽電池セルとの間に、熱電対の測温接点を配置し、前記熱電対に生じる熱起電力にもとづいて、前記太陽電池セルの温度を測定する方法としてある。
【００１０】
また、本発明の太陽電池セル温度測定装置は、太陽電池セルの温度を測定する熱電対を備え、前記熱電対の測温接点が、基板と、前記基板上に保持される前記太陽電池セルとの間に配置される構成としてある。
【００１１】
また、本発明の太陽電池モジュールは、基板と、前記基板上に保持される太陽電池セルと、前記太陽電池セルの温度を測定する熱電対とを備え、前記熱電対の測温接点が、前記基板と前記太陽電池セルとの間に配置される構成としてある。
【発明の効果】
【００１２】
本発明によれば、熱電対を用いて太陽電池セルの温度を測定するにあたり、基板との温度差による誤差を可及的に排除し、たとえ光受光中であっても、太陽電池セルの温度を精度良く正確に測定することができる。
【図面の簡単な説明】
【００１３】
【図１】本発明の一実施形態に係る太陽電池セル温度測定方法が適用される太陽電池モジュール（太陽電池セル温度測定装置）の部分断面図である。
【図２】熱電対の説明図である。
【図３】熱電対を用いた太陽電池セル温度測定方法の参考例を示す説明図である。
【発明を実施するための形態】
【００１４】
以下、本発明の太陽電池セル温度測定方法、太陽電池セル温度測定装置及び太陽電池モジュールの実施形態について、図面を参照して説明する。
図１は、本発明の太陽電池セル温度測定方法が適用される太陽電池モジュール（太陽電池セル温度測定装置）の部分断面図である。
この図に示すように、本発明の太陽電池セル温度測定方法が適用される太陽電池モジュール（太陽電池セル温度測定装置）は、太陽電池セル１と、太陽電池セル１を保持する基板（サブストレート）２と、太陽電池セル１の温度を測定する熱電対１００とを備えている。
【００１５】
本発明の太陽電池セル温度測定方法では、熱電対１００の測温接点Ａを基板２と太陽電池セル１との間に配置し、熱電対１００に生じる熱起電力にもとづいて、太陽電池セル１の温度を測定する。
【００１６】
このような本実施形態の太陽電池セル温度測定方法では、熱電対１００を用いて太陽電池セル１の温度を測定するにあたって、基板２の内部で温度を測定するのではなく、基板２と太陽電池セル１との間で温度を測定するようにしてある。
これにより、太陽電池セル１と基板２との温度差による誤差を可及的に排除することが可能となる。
従って、たとえ太陽電池セル１が光受光中等であっても、太陽電池セル１の温度を精度良く正確に測定することが可能となる。
【００１７】
また、太陽電池セル１の電気出力特性を評価する場合、上述した本発明の温度測定方法を用いることにより、電気出力特性の評価精度を向上させることができる。
その理由は、温度依存性を有している太陽電池セル１の電気出力特性を、本発明の温度測定方法を用いて測定した正確な太陽電池セル温度にもとづいて評価できるからである。
【００１８】
また、熱電対１００の測温接点Ａを基板２と太陽電池セル１との間に配置し、熱電対１００に生じる熱起電力にもとづいて、太陽電池セル１の温度を測定するにあたり、熱電対１００の測温接点Ａは、太陽電池セル１の下面に接触させることができる。
このようにすると、熱電対１００の測温接点Ａを太陽電池セル１の下面から離間させる場合や、熱電対１００の測温接点Ａと太陽電池セル１の下面との間に別部材を介在させる場合に比べて、太陽電池セル１の温度をより正確に測定することができる。
【００１９】
また、熱電対１００の測温接点Ａを基板２と太陽電池セル１との間に配置し、熱電対１００に生じる熱起電力にもとづいて、太陽電池セル１の温度を測定するにあたり、熱電対１００の測温接点Ａは、基板２と太陽電池セル１との間の接着剤層３に実装することができる。
このようにすることで、基板２と太陽電池セル１との間に配置される熱電対１００の測温接点Ａを、太陽電池セル１を基板２上に実装するための接着剤層３を利用して固定できるので、熱電対１００の測温接点Ａを別手段で固定する場合に比べ、コストを削減することができる。
【００２０】
また、熱電対１００の測温接点Ａを基板２と太陽電池セル１との間に配置し、熱電対１００に生じる熱起電力にもとづいて、太陽電池セル１の温度を測定するにあたり、熱電対１００の測温接点Ａは、太陽電池セル１の下面における長さ方向や、幅方向の中央位置に配置することができる。
例えば、図１に示すように、太陽電池セル１の左右幅がＷである場合、太陽電池セル１の左右端からＷ／２の位置に熱電対１００の測温接点Ａを配置する。
このようにすると、太陽電池セル１の温度をその中心部で測定することができるので、太陽電池セル１の下面における温度分布の影響を可及的に排除し、太陽電池セル１の温度をより正確に測定することができる。
【００２１】
また、熱電対１００の測温接点Ａを基板２と太陽電池セル１との間に配置し、熱電対１００に生じる熱起電力にもとづいて、太陽電池セル１の温度を測定するにあたり、熱電対１００として、極細熱電対線を使用することができる。
ここで、熱電対１００の極細熱電対線としては、例えば、直径２５μｍ〜１００μｍの極細熱電対線を使用することができる。
【００２２】
このような極細熱電対線を備えた熱電対１００を用いることで、熱電対１００自身による熱損失を可及的に小さくすることができ、従って、太陽電池セル１の温度をより正確に測定することが可能となる。
特に、薄くて熱容量が小さい太陽電池セル１の温度を測定する場合、熱電対１００自身による熱損失が測定精度に大きく影響するが、極細熱電対線からなる熱電対１００によれは、自身による熱損失を抑制し、正確な温度測定が可能となる。
【００２３】
また、熱電対１００として、直径２５μｍ〜１００μｍ等の極細熱電対線を使用すると、接着剤層３に熱電対１００を配置しても、接着剤層３の厚みが大きく変更されることがないので、温度変化に伴う接着剤層３の反り変形を抑制でき、その結果、接着剤層３の反り変形に起因する太陽電池セル１の割れなども防ぐことができる効果も得られる。
【００２４】
つぎに、本発明の実施形態に係る太陽電池セル温度測定方法（図１）の作用を、参考例に係る太陽電池セル温度測定方法（図３）と比較して説明する。
太陽光又はその他の光源から光を受けた太陽電池セル１は、電気出力を行うとともに、自身の温度が上昇する。
このとき、同時に光を受光する基板２においても温度上昇が発生するが、太陽電池セル１と基板２との間には、その光学的表面特性の違いにより、温度差が生じる。
【００２５】
このため、図３に示す太陽電池セル温度測定方法では、太陽電池セル１０４を実装（接着）している基板１０５の温度を測定して太陽電池セル１０４の温度に代替しているので、太陽電池セル１０４と基板１０５との間に温度差がある状況では、測定精度が低下し、正確な温度測定ができない。
【００２６】
これに対して、図１に示す本実施形態に係る太陽電池セル温度測定方法によれば、極細熱電対線からなる熱電対１００の測温接点Ａを、太陽電池セル１と基板２を接着する接着剤層３に実装するとともに、太陽電池セル１の下面に測温接点Ａを接触させた状態で、温度測定を行うようにしているため、太陽電池セル１０４と基板１０５との間の温度差にかかわらず、太陽電池セル１の温度を正確に測定することが可能になる。
【００２７】
以上の説明したように、本実施形態によれば、基板２と、基板２上に保持される太陽電池セル１との間に、熱電対１００の測温接点Ａを配置し、熱電対１００に生じる熱起電力にもとづいて、太陽電池セル１の温度を測定するので、熱電対１００を用いて太陽電池セル１の温度を測定するにあたり、基板２との温度差による誤差を可及的に排除し、たとえ光受光中であっても、太陽電池セル１の温度を精度良く測定することができる。
【００２８】
また、熱電対１００の測温接点Ａは、太陽電池セル１の下面に接触されるので、熱電対１００の測温接点Ａを太陽電池セル１の下面から離間させる場合や、熱電対１００の測温接点Ａと太陽電池セル１の下面との間に別部材を介在させる場合に比べ、太陽電池セル１の温度をより正確に測定することができる。
また、熱電対１００の測温接点Ａは、基板２と太陽電池セル１との間の接着剤層３に実装されるので、基板２と太陽電池セル１との間に配置される熱電対１００の測温接点Ａを、太陽電池セル１を基板２上に実装するための接着剤層３を利用して固定でき、その結果、熱電対１００の測温接点Ａを別手段で固定する場合に比べ、コストを削減することができる。
【００２９】
また、熱電対１００の測温接点Ａは、太陽電池セル１の下面における長さ方向及び／又は幅方向の中央位置に配置されるので、太陽電池セル１の温度をその中心部で測定することができ、その結果、太陽電池セル１の下面における温度分布の影響を可及的に排除し、太陽電池セル１の温度をより正確に測定することができる。
【００３０】
また、熱電対１００として、例えば直径２５μｍ〜１００μｍの極細熱電対線を使用するので、熱電対１００自身による熱損失を可及的に小さくし、太陽電池セル１の温度をより正確に測定することができる。特に、薄くて熱容量が小さい太陽電池セル１の温度を測定する場合、熱電対１００自身による熱損失が測定精度に大きく影響するが、極細熱電対線からなる熱電対１００によれは、自身による熱損失を抑制し、正確な温度測定が可能となる。
さらに、熱電対１００として、極細熱電対線を使用すると、接着剤層３に熱電対１００を配置しても、接着剤層３の厚みが大きく変更されることがないので、温度変化に伴う接着剤層３の反り変形を抑制でき、その結果、接着剤層３の反り変形に起因する太陽電池セル１の割れなども防ぐことができる。
【００３１】
以上、本発明の太陽電池セル温度測定方法、太陽電池セル温度測定装置及び太陽電池モジュールについて、実施形態を示して説明したが、本発明は、上述した実施形態にのみ限定されるものではなく、特許請求の範囲内で種々の変更が可能であることは言うまでもない。
【産業上の利用可能性】
【００３２】
本発明は、熱電対を用いて太陽電池セルの温度を測定する太陽電池セル温度測定方法、太陽電池セル温度測定装置及び太陽電池モジュールであり、太陽電池セルの温度測定を必要とする用途、例えば、太陽電池セルの電気出力特性を評価する場合や、太陽電池セルの電気出力特性にもとづいて日射強度などを測定する場合に利用することができる。
【符号の説明】
【００３３】
１      太陽電池セル
２      基板
３      接着剤層
１００  熱電対
１０１  金属線
１０２  金属線
Ａ      測温接点
Ｂ      基準温度点
【図１】
2011002319.tif 000003
【図２】
2011002319.tif 000004
【図３】
2011002319.tif 000005